(57)【要約】【課題】製作過程や育成過程等に応じて経時変化する物体の外観を順次記録して出力できるだけでなく、関係者の達成感や喜び感までも加えて表現することが可能になる動画合成出力装置を提供する。【解決手段】布ケースＴに犬のアップリケＤを貼り付けて製作する過程を撮影し、その各静止画データＧ１，Ｇ２，Ｇ３を、順次サーバ装置へ送信すると、当該各静止画データＧ１，Ｇ２，Ｇ３が一連の動画データＧＤ１，ＧＤ２，ＧＤ３として再構成されるだけでなく、完成時の静止画データＧ３（ＧＤ３）に対して、犬の登録画像ＧＴ１との一致を判定して該犬が飛んでいる動きの対応動画データｄｓ１〜ｄｓ３が個々に合成され、この合成画像ＧＤ４，ＧＤ５，ＧＤ６が前記一連の動画データＧＤ１，ＧＤ２，ＧＤ３にさらに連結されてなる一連の合成動画データＧＤ１〜ＧＤ６が生成されて出力される。【選択図】      図４
2011077871.tif 000002
【特許請求の範囲】
【請求項１】
物体の画像と当該物体の画像に対応した一連の動画を記憶する物体画像・対応動画記憶手段と、
時間の経過に応じて形が変化する物体の静止画を順次取得する静止画取得手段と、
この静止画取得手段により時間の経過に応じて形が変化する物体の静止画が順次取得される毎に、今回取得された静止画に前記物体画像・対応動画記憶手段により記憶された物体の画像と一致する画像が含まれるか否かを判定する物体画像判定手段と、
この物体画像判定手段により今回取得された静止画に前記物体の画像と一致する画像が含まれていると判定された場合に、前記静止画取得手段により順次取得された物体の静止画を当該物体の形が変化して行く一連の動画として構成する物体動画構成手段と、
前記物体画像判定手段により今回取得された静止画に物体の画像と一致する画像が含まれていると判定された場合に、当該今回取得された静止画に対して前記物体画像・対応動画記憶手段により記憶された一連の動画を合成する動画合成手段と、
この動画合成手段により合成された一連の合成画像を、前記物体動画構成手段により構成された一連の動画の後に連結し、一連の合成動画を生成する合成動画生成手段と、
この合成動画生成手段により生成された一連の合成動画を出力する合成動画出力手段と、
を備えたことを特徴とする動画合成出力装置。
【請求項２】
前記物体画像・対応動画記憶手段により記憶される物体の画像は、製作される物体の完成品の画像であることを特徴とする請求項１に記載の動画合成出力装置。
【請求項３】
前記物体画像・対応動画記憶手段により記憶される物体の画像は、育成される生物の完全成長時の画像であることを特徴とする請求項１に記載の動画合成出力装置。
【請求項４】
前記物体画像・対応動画記憶手段は、複数種類の物体の画像と当該各物体の画像それぞれに対応した一連の動画を記憶し、
この物体画像・対応動画記憶手段により記憶された複数種類の物体の画像のうちの何れかを、予めユーザ操作に応じて指定する物体画像指定手段を備え、
前記物体画像判定手段は、前記静止画取得手段により時間の経過に応じて形が変化する物体の静止画が順次取得される毎に、今回取得された静止画に、前記物体画像指定手段により予め指定された種類の物体の画像と一致する画像が含まれるか否かを判定する、
ことを特徴とする請求項１ないし請求項３の何れか１項に記載の動画合成出力装置。
【請求項５】
合成動画の送信先を、予めユーザ操作に応じて指定する送信先指定手段を備え、
前記合成動画出力手段は、前記合成動画生成手段により生成された一連の合成動画を、前記送信先指定手段により予め指定された送信先に出力する、
ことを特徴とする請求項１ないし請求項４の何れか１項に記載の動画合成出力装置。
【請求項６】
電子機器のコンピュータを制御するためのプログラムであって、
前記コンピュータを、
物体の画像と当該物体の画像に対応した一連の動画をメモリに記憶させる物体画像・対応動画記憶手段、
時間の経過に応じて形が変化する物体の静止画を順次取得する静止画取得手段、
この静止画取得手段により時間の経過に応じて形が変化する物体の静止画が順次取得される毎に、今回取得された静止画に前記物体画像・対応動画記憶手段により記憶された物体の画像と一致する画像が含まれるか否かを判定する物体画像判定手段、
この物体画像判定手段により今回取得された静止画に前記物体の画像と一致する画像が含まれていると判定された場合に、前記静止画取得手段により順次取得された物体の静止画を当該物体の形が変化して行く一連の動画として構成する物体動画構成手段、
前記物体画像判定手段により今回取得された静止画に物体の画像と一致する画像が含まれていると判定された場合に、当該今回取得された静止画に対して前記物体画像・対応動画記憶手段により記憶された一連の動画を合成する動画合成手段、
この動画合成手段により合成された一連の合成画像を、前記物体動画構成手段により構成された一連の動画の後に連結し、一連の合成動画を生成する合成動画生成手段、
この合成動画生成手段により生成された一連の合成動画を出力する合成動画出力手段、
として機能させるためのコンピュータ読み込み可能なプログラム。
【請求項７】
物体の画像と当該物体の画像に対応した一連の動画を記憶する物体画像・対応動画記憶手段と、
時間の経過に応じて形が変化する物体の静止画を順次取得する静止画取得手段と、
この静止画取得手段により時間の経過に応じて形が変化する物体の静止画が順次取得される毎に、今回取得された静止画に前記物体画像・対応動画記憶手段により記憶された物体の画像と一致する画像が含まれるか否かを判定する物体画像判定手段と、
この物体画像判定手段により今回取得された静止画に前記物体の画像と一致する画像が含まれていると判定された場合に、前記静止画取得手段により順次取得された物体の静止画を当該物体の形が変化して行く一連の動画として構成する物体動画構成手段と、
前記物体画像判定手段により今回取得された静止画に物体の画像と一致する画像が含まれていると判定された場合に、当該今回取得された静止画に対して前記物体画像・対応動画記憶手段により記憶された一連の動画を合成する動画合成手段と、
この動画合成手段により合成された一連の合成画像を、前記物体動画構成手段により構成された一連の動画の後に連結し、一連の合成動画を生成する合成動画生成手段と、
この合成動画生成手段により生成された一連の合成動画を表示部に表示させる合成動画表示制御手段と、
を備えたことを特徴とする携帯電話装置。
【請求項８】
携帯電話装置のコンピュータを制御するためのプログラムであって、
前記コンピュータを、
物体の画像と当該物体の画像に対応した一連の動画をメモリに記憶させる物体画像・対応動画記憶手段、
時間の経過に応じて形が変化する物体の静止画を順次取得する静止画取得手段、
この静止画取得手段により時間の経過に応じて形が変化する物体の静止画が順次取得される毎に、今回取得された静止画に前記物体画像・対応動画記憶手段により記憶された物体の画像と一致する画像が含まれるか否かを判定する物体画像判定手段、
この物体画像判定手段により今回取得された静止画に前記物体の画像と一致する画像が含まれていると判定された場合に、前記静止画取得手段により順次取得された物体の静止画を当該物体の形が変化して行く一連の動画として構成する物体動画構成手段、
前記物体画像判定手段により今回取得された静止画に物体の画像と一致する画像が含まれていると判定された場合に、当該今回取得された静止画に対して前記物体画像・対応動画記憶手段により記憶された一連の動画を合成する動画合成手段、
この動画合成手段により合成された一連の合成画像を、前記物体動画構成手段により構成された一連の動画の後に連結し、一連の合成動画を生成する合成動画生成手段、
この合成動画生成手段により生成された一連の合成動画を表示部に表示させる合成動画表示制御手段、
として機能させるためのコンピュータ読み込み可能なプログラム。
【発明の詳細な説明】
【技術分野】
【０００１】
本発明は、撮影された静止画に動画を合成して表示させるための動画合成出力装置、携帯電話装置、およびプログラムに関する。
【背景技術】
【０００２】
近年、園芸や手工芸など、様々なものの手作りが流行している。これに際して、植物が成長するまでの育成過程や工芸品が完成するまでの製作過程を、カメラにより順次撮影して記録することも行われている。
【０００３】
しかし、前記育成過程や製作過程に撮影された何枚もの静止画を順番に整理して纏める作業は結構煩雑で面倒である。
【０００４】
長期間における植物の生育過程を安定且つ高精度に画像情報として記録することができる画像取得装置が考えられている（例えば、特許文献１参照。）。
【先行技術文献】
【特許文献】
【０００５】
【特許文献１】特開２００３−０５０９９６号公報
【発明の概要】
【発明が解決しようとする課題】
【０００６】
一般に植物を育成して開花させたり、工芸品を製作して完成させたりした場合、その育成者、製作者には、達成感や喜び感が伴う。
【０００７】
従来は、植物の育成過程や工芸品の製作過程を、カメラにより順次撮影して記録し、これを順番に表示させて見ること、撮影された個々の静止画に含まれる植物や工芸品などの被写体の位置を、各静止画間で高精度に合わせて記録することができる。
【０００８】
しかしながら、前記育成者、製作者にある、達成感や喜び感までも表現することはできない。
【０００９】
本発明は、このような課題に鑑みなされたもので、製作過程や育成過程等に応じて経時変化する物体の外観を順次記録して出力できるだけでなく、関係者の達成感や喜び感までも加えて表現することが可能になる動画合成出力装置、携帯電話装置、およびプログラムを提供することを目的とする。
【課題を解決するための手段】
【００１０】
請求項１に記載の動画合成出力装置は、物体の画像と当該物体の画像に対応した一連の動画を記憶する物体画像・対応動画記憶手段と、時間の経過に応じて形が変化する物体の静止画を順次取得する静止画取得手段と、この静止画取得手段により時間の経過に応じて形が変化する物体の静止画が順次取得される毎に、今回取得された静止画に前記物体画像・対応動画記憶手段により記憶された物体の画像と一致する画像が含まれるか否かを判定する物体画像判定手段と、この物体画像判定手段により今回取得された静止画に前記物体の画像と一致する画像が含まれていると判定された場合に、前記静止画取得手段により順次取得された物体の静止画を当該物体の形が変化して行く一連の動画として構成する物体動画構成手段と、前記物体画像判定手段により今回取得された静止画に物体の画像と一致する画像が含まれていると判定された場合に、当該今回取得された静止画に対して前記物体画像・対応動画記憶手段により記憶された一連の動画を合成する動画合成手段と、この動画合成手段により合成された一連の合成画像を、前記物体動画構成手段により構成された一連の動画の後に連結し、一連の合成動画を生成する合成動画生成手段と、この合成動画生成手段により生成された一連の合成動画を出力する合成動画出力手段と、を備えたことを特徴としている。
【００１１】
請求項２に記載の動画合成出力装置は、前記請求項１に記載の動画合成出力装置において、前記物体画像・対応動画記憶手段により記憶される物体の画像は、製作される物体の完成品の画像であることを特徴としている。
【００１２】
請求項３に記載の動画合成出力装置は、前記請求項１に記載の動画合成出力装置において、前記物体画像・対応動画記憶手段により記憶される物体の画像は、育成される生物の完全成長時の画像であることを特徴としている。
【００１３】
請求項４に記載の動画合成出力装置は、前記請求項１ないし請求項３の何れか１項に記載の動画合成出力装置において、前記物体画像・対応動画記憶手段は、複数種類の物体の画像と当該各物体の画像それぞれに対応した一連の動画を記憶し、この物体画像・対応動画記憶手段により記憶された複数種類の物体の画像のうちの何れかを、予めユーザ操作に応じて指定する物体画像指定手段を備え、前記物体画像判定手段は、前記静止画取得手段により時間の経過に応じて形が変化する物体の静止画が順次取得される毎に、今回取得された静止画に、前記物体画像指定手段により予め指定された種類の物体の画像と一致する画像が含まれるか否かを判定する、ことを特徴としている。
【００１４】
請求項５に記載の動画合成出力装置は、前記請求項１ないし請求項４の何れか１項に記載の動画合成出力装置において、合成動画の送信先を、予めユーザ操作に応じて指定する送信先指定手段を備え、前記合成動画出力手段は、前記合成動画生成手段により生成された一連の合成動画を、前記送信先指定手段により予め指定された送信先に出力する、ことを特徴としている。
【００１５】
請求項６に記載のプログラムは、電子機器のコンピュータを制御するためのプログラムであって、前記コンピュータを、物体の画像と当該物体の画像に対応した一連の動画をメモリに記憶させる物体画像・対応動画記憶手段、時間の経過に応じて形が変化する物体の静止画を順次取得する静止画取得手段、この静止画取得手段により時間の経過に応じて形が変化する物体の静止画が順次取得される毎に、今回取得された静止画に前記物体画像・対応動画記憶手段により記憶された物体の画像と一致する画像が含まれるか否かを判定する物体画像判定手段、この物体画像判定手段により今回取得された静止画に前記物体の画像と一致する画像が含まれていると判定された場合に、前記静止画取得手段により順次取得された物体の静止画を当該物体の形が変化して行く一連の動画として構成する物体動画構成手段、前記物体画像判定手段により今回取得された静止画に物体の画像と一致する画像が含まれていると判定された場合に、当該今回取得された静止画に対して前記物体画像・対応動画記憶手段により記憶された一連の動画を合成する動画合成手段、この動画合成手段により合成された一連の合成画像を、前記物体動画構成手段により構成された一連の動画の後に連結し、一連の合成動画を生成する合成動画生成手段、この合成動画生成手段により生成された一連の合成動画を出力する合成動画出力手段、として機能させることを特徴としている。
【００１６】
請求項７に記載の携帯電話装置は、物体の画像と当該物体の画像に対応した一連の動画を記憶する物体画像・対応動画記憶手段と、時間の経過に応じて形が変化する物体の静止画を順次取得する静止画取得手段と、この静止画取得手段により時間の経過に応じて形が変化する物体の静止画が順次取得される毎に、今回取得された静止画に前記物体画像・対応動画記憶手段により記憶された物体の画像と一致する画像が含まれるか否かを判定する物体画像判定手段と、この物体画像判定手段により今回取得された静止画に前記物体の画像と一致する画像が含まれていると判定された場合に、前記静止画取得手段により順次取得された物体の静止画を当該物体の形が変化して行く一連の動画として構成する物体動画構成手段と、前記物体画像判定手段により今回取得された静止画に物体の画像と一致する画像が含まれていると判定された場合に、当該今回取得された静止画に対して前記物体画像・対応動画記憶手段により記憶された一連の動画を合成する動画合成手段と、この動画合成手段により合成された一連の合成画像を、前記物体動画構成手段により構成された一連の動画の後に連結し、一連の合成動画を生成する合成動画生成手段と、この合成動画生成手段により生成された一連の合成動画を表示部に表示させる合成動画表示制御手段と、を備えたことを特徴としている。
【００１７】
請求項８に記載のプログラムは、携帯電話装置のコンピュータを制御するためのプログラムであって、前記コンピュータを、物体の画像と当該物体の画像に対応した一連の動画をメモリに記憶させる物体画像・対応動画記憶手段、時間の経過に応じて形が変化する物体の静止画を順次取得する静止画取得手段、この静止画取得手段により時間の経過に応じて形が変化する物体の静止画が順次取得される毎に、今回取得された静止画に前記物体画像・対応動画記憶手段により記憶された物体の画像と一致する画像が含まれるか否かを判定する物体画像判定手段、この物体画像判定手段により今回取得された静止画に前記物体の画像と一致する画像が含まれていると判定された場合に、前記静止画取得手段により順次取得された物体の静止画を当該物体の形が変化して行く一連の動画として構成する物体動画構成手段、前記物体画像判定手段により今回取得された静止画に物体の画像と一致する画像が含まれていると判定された場合に、当該今回取得された静止画に対して前記物体画像・対応動画記憶手段により記憶された一連の動画を合成する動画合成手段、この動画合成手段により合成された一連の合成画像を、前記物体動画構成手段により構成された一連の動画の後に連結し、一連の合成動画を生成する合成動画生成手段、この合成動画生成手段により生成された一連の合成動画を表示部に表示させる合成動画表示制御手段、として機能させることを特徴としている。
【発明の効果】
【００１８】
本発明によれば、製作過程や育成過程等に応じて経時変化する物体の外観を順次記録して出力できるだけでなく、関係者の達成感や喜び感までも加えて表現することが可能になる動画合成出力装置、携帯電話装置、およびプログラムを提供できる。
【図面の簡単な説明】
【００１９】
【図１】本発明の動画合成出力装置の実施形態に係るサーバ装置１０の電子回路の構成を示すブロック図。
【図２】前記サーバ装置１０の登録画像・対応動画メモリ１２ｂに記憶される登録画像データおよびその対応動画データの具体例を示す図。
【図３】前記サーバ装置１０による画像合成処理を示すフローチャート。
【図４】前記サーバ装置１０の画像合成処理に伴い犬のアップリケＤの製作過程を撮影した一連の静止画データＧ１〜Ｇ３から犬の登録画像ＧＴ１およびその対応動画データｄｓ１〜ｄｓ３に基づき生成された一連の合成動画データＧＤ１〜ＧＤ６を示す図。
【図５】前記サーバ装置１０の画像合成処理に伴いジグソーパズルＰの製作過程を撮影した一連の静止画データＧ１〜Ｇ３からジグソーパズルの登録画像ＧＴ２ａおよびその対応動画データｄｍ１〜ｄｍ３に基づき生成された一連の合成動画データＧＤ１〜ＧＤ６を示す図。
【図６】前記サーバ装置１０の画像合成処理に伴い花Ｆの育成過程を撮影した一連の静止画データＧ１〜Ｇ３から花の登録画像ＧＴ３ａおよびその対応動画データｄｈ１〜ｄｈ３に基づき生成された一連の合成動画データＧＤ１〜ＧＤ６を示す図。
【図７】本発明の動画合成出力装置を実施した携帯電話装置１０′の画像合成処理に伴う動作の具体例を示す図。
【発明を実施するための形態】
【００２０】
以下図面により本発明の実施の形態について説明する。
【００２１】
図１は、本発明の動画合成出力装置の実施形態に係るサーバ装置１０の電子回路の構成を示すブロック図である。
【００２２】
このサーバ装置１０は、コンピュータであるＣＰＵ１１を備えている。
【００２３】
ＣＰＵ１１は、メモリ１２に予め記憶されたシステムプログラム、あるいはＣＤ−ＲＯＭなどの外部記録媒体１３からＣＤ／ＤＶＤドライブなどの記録媒体読取部１４を介して前記メモリ１２に読み込まれたサーバ制御プログラム、あるいは通信ネットワークＮ上の他のサーバ装置（この場合はプログラムサーバ）から電送制御部１５を介して前記メモリ１２に読み込まれたサーバ制御プログラムに従い回路各部の動作を制御する。
【００２４】
ＣＰＵ１１には、前記メモリ１２、記録媒体読取部１４、電送制御部１５が接続される他に、当該サーバ装置１０の管理者が操作するキーボード，マウスなどを備えた入力部１６が接続される。
【００２５】
前記メモリ１２に記憶されるサーバ制御プログラムとしては、外部の通信端末Ａ（デジタルカメラ／カメラ付き携帯電話）２０や通信端末Ｂ（ＰＣ:Personal Computer）３０などから受信された撮影画像などの静止画データを保存し、各通信端末Ａ２０，Ｂ３０にて閲覧可能にするための画像管理処理プログラム、前記各通信端末Ａ２０，Ｂ３０との通信動作を司る通信制御プログラムが記憶される。
【００２６】
またこの他のサーバ制御プログラムとしては、生物の育成過程や物の製作過程などを記録する育成／製作画像モードが選択された際に起動される画像合成処理プログラム１２ａが記憶される。
【００２７】
この画像合成処理プログラム１２ａは、少なくとも次の各機能(a)〜(e)を有している。
【００２８】
(a)外部から受信された静止画データを、その登録ユーザ別に且つ画像の種類毎に登録ユーザ別育成／製作静止画メモリ１２ｄに順番に記憶する機能。
【００２９】
(b)今回受信された静止画データの中に、登録画像・対応動画メモリ１２ｂ（図２参照）に予め登録されている前記生物が成長した画像や前記物が完成した画像（登録画像）と一致する画像が含まれているか判定する機能。
【００３０】
(c)今回受信された静止画データに登録画像が含まれていた場合に、当該今回の静止画データまでに順番に記憶された同じ種類の各静止画データを連結し、生物の育成過程や物の製作過程を表現する一連の動画データとして再構成する機能。
(d)今回受信された静止画データに登録画像が含まれていた場合に、当該今回の静止画データに対して、その登録画像に対応付けられて前記登録画像・対応動画メモリ１２ｂ（図２参照）に予め登録されている対応動画データを合成し、前記再構成された一連の動画データの後にさらに連結して一連の合成動画データを生成する機能。
【００３１】
(e)生成された一連の合成動画データを、登録ユーザに対し閲覧可能に保存したり送信出力したりする機能。
【００３２】
また、メモリ１２には、前記各種のプログラムを記憶するプログラムメモリの他に、各種の作業用データを記憶するメモリとして、登録画像・対応動画メモリ１２ｂ（図２参照）、登録ユーザ情報メモリ１２ｃ、登録ユーザ別育成／製作静止画メモリ１２ｄ、合成動画データメモリ１２ｅ、合成動画データ保存メモリ１２ｆなどが確保される。
【００３３】
図２は、前記サーバ装置１０の登録画像・対応動画メモリ１２ｂに記憶される登録画像データおよびその対応動画データの具体例を示す図である。
【００３４】
この登録画像・対応動画メモリ１２ｂには、例えば製作過程に応じて形が変化する物が完成したときの画像や育成過程に応じて形が変化する生物が完全に成長したときの画像など、複数種類の物体の完成画像が登録画像として記憶されると共に、各登録画像に対応付けられてその登録画像に関係した動きを表現する対応動画データが記憶される。
【００３５】
例えばある犬のキャラクタの登録画像ＧＴ１に対しては、その犬が飛んでいる対応動画データｄｓ１〜ｄｓ３が記憶され、また、マウスのキャラクタを使用した２種類の完成したジグソーパズルの登録画像ＧＴ２ａ，ＧＴ２ｂに対しては、そのマウスが手を振っている対応動画データｄｍ１〜ｄｍ３が記憶され、また、完全開花した４種類の花の登録画像ＧＴ３ａ〜ＧＴ３ｄに対しては、蜂の妖精が飛んでいる対応動画データｈｄ１〜ｈｄ３が記憶される。
【００３６】
前記各対応動画データｄｓ１，ｄｓ２，ｄｓ３、ｄｍ１，ｄｍ２，ｄｍ３、ｈｄ１，ｈｄ２，ｈｄ３は、それぞれ何れも無背景で１画面サイズの静止画として構成される。
【００３７】
登録ユーザ情報メモリ１２ｃには、本サーバ装置１０の専用ＨＰ（ホームページ）にて登録されたユーザの「登録ユーザ名」に対応付けられて、当該登録ユーザが合成動画データを送る先として入力した「送信先ユーザ名」、当該登録ユーザの「メールアドレス」「ＨＰパスワード」、そして、当該登録ユーザが合成動画データを生成したい画像の種類として指定した前記登録画像・対応動画メモリ１２ｂ（図２参照）内の登録画像の種類を示す「登録画像・対応動画指定情報」が記憶される。
【００３８】
登録ユーザ別育成／製作静止画メモリ１２ｄには、前記画像合成処理プログラム１２ａの起動中において、外部の通信端末Ａ２０やＢ３０から受信された静止画データＧ１，Ｇ２，…（図４（Ａ）；図５（Ａ）；図６（Ａ）参照）が、その登録ユーザ別に且つ画像の種類毎に、撮影日付の順番で記憶される。
【００３９】
合成動画データメモリ１２ｅには、前記画像合成処理プログラム１２ａの機能(a)〜(d)に従い生成された一連の合成動画データＧＤ１〜ＧＤｎ（図４（Ｂ）；図５（Ｂ）；図６（Ｂ）参照）が記憶される。
【００４０】
具体的に、前記一連の合成動画データＧＤ１〜ＧＤ６は、前記登録ユーザ別育成／製作静止画メモリ１２ｄに今回受信されて記憶された静止画データＧ３（図４（Ａ）；図５（Ａ）；図６（Ａ）参照）に、前記登録ユーザ情報メモリ１２ｃに記憶された「登録画像・対応動画指定情報」で示される登録画像ＧＴｎが含まれていた場合に、当該今回の静止画データＧ３までに順番に記憶された同じ種類の各静止画データＧ１，Ｇ２，Ｇ３が連結され、一連の動画データＧＤ１〜ＧＤ３（図４（Ｂ）；図５（Ｂ）；図６（Ｂ）参照）として再構成される。そして、当該今回の静止画データＧ３に対して、その登録画像ＧＴｎに対応付けられて前記登録画像・対応動画メモリ１２ｂ（図２参照）に予め登録されている対応動画データ（ｄｓ１〜ｄｓ３；ｄｍ１〜ｄｍ３；ｄｈ１〜ｄｈ３）が合成され、この合成画像ＧＤ４〜ＧＤ６が、前記再構成された一連の動画データＧＤ１〜ＧＤ３の後にさらに連結されて一連の合成動画データＧＤ１〜ＧＤ６（図４（Ｂ）；図５（Ｂ）；図６（Ｂ）参照）が生成される。
【００４１】
合成動画データ保存メモリ１２ｆには、前記合成動画データメモリ１２ｅに記憶された一連の合成動画データＧＤ１，ＧＤ２，…，ＧＤｎが、当該合成動画データＧＤ１，ＧＤ２，…，ＧＤｎの生成元になる静止画データＧｎの送信元ユーザ名に対応付けられて、当該送信元ユーザの通信端末Ａ２０やＢ３０により閲覧可能に保存される。
【００４２】
そして、前記メモリ１２に記憶された各種のプログラムは、主に電送制御部１５を介した外部の通信端末Ａ２０やＢ３０からの受信入力信号、あるいは入力部１６からの管理操作入力信号に応じて起動される。
【００４３】
なお、本発明の動画合成出力装置をデジタルカメラ１０Ａとして構成する場合、さらに、画像撮影部１８が備えられる。
【００４４】
次に、前記構成のサーバ装置１０の動作について説明する。
【００４５】
図３は、前記サーバ装置１０による画像合成処理を示すフローチャートである。
【００４６】
［実施例１］
図４は、前記サーバ装置１０の画像合成処理に伴い犬のアップリケＤの製作過程を撮影した一連の静止画データＧ１〜Ｇ３から犬の登録画像ＧＴ１およびその対応動画データｄｓ１〜ｄｓ３に基づき生成された一連の合成動画データＧＤ１〜ＧＤ６を示す図である。
【００４７】
この実施例１では、サーバ装置１０の登録ユーザ情報メモリ１２ｃに登録される、例えば通信端末Ａ２０のユーザが、犬のアップリケＤの製作過程を撮影して当該サーバ装置１０へ順次送信し、このサーバ装置１０により生成された合成動画データＧＤ１〜ＧＤ６を、ユーザ自身の通信端末Ａ２０、あるいは送信先として登録した知人ユーザの通信端末Ａ２０やＢ３０に送って閲覧する場合について説明する。
【００４８】
ユーザの通信端末Ａ２０から本サーバ装置１０の専用ＨＰへ最初にアクセスされると、ユーザ設定処理が開始され、アクセス元の通信端末Ａ２０に対してユーザ情報の入力要求が送信される（ステップＳ１（Ｙｅｓ））。
【００４９】
前記ユーザ情報の入力要求に応じてアクセス元の通信端末Ａ２０にてユーザ入力されたユーザ情報（登録ユーザ名／送信先ユーザ名、メールアドレス、サーバＨＰパスワードなど）が受信されると、この受信されたユーザ情報は登録ユーザ情報メモリ１２ｃに記憶される（ステップＳ２）。
【００５０】
すると、登録画像・対応動画メモリ１２ｂ（図２参照）に記憶されている登録画像およびその対応動画の一覧画面が、前記登録されたユーザの通信端末Ａ２０へ送信され、同ユーザに対して登録画像・対応動画の種類の指定が促される（ステップＳ３）。
【００５１】
ユーザの通信端末Ａ２０から前記登録画像・対応動画の種類の指定データ（例えば犬のキャラクタを示す“１”）が受信されると、当該指定データ“１”は「登録画像・対応動画指定情報」として前記登録ユーザ情報メモリ１２ｃに登録されたユーザ情報に対応付けられて記憶される（ステップＳ４）。
【００５２】
前記登録ユーザ情報メモリ１２ｃに登録されたユーザの通信端末Ａ２０から本サーバ装置１０にアクセスされ、ユーザ認証処理の後、育成／製作画像モードが選択される。そして、例えば図４（Ａ）に示すように、犬のアップリケＤを布ケースＴ上に製作する過程を撮影した静止画データＧ１，Ｇ２，…が順次受信されると（ステップＳ５）、その静止画データＧ１，Ｇ２，…は、登録ユーザ別育成／製作静止画メモリ１２ｄ内のユーザにより指定されたフォルダに順番に記憶される（ステップＳ６）。
【００５３】
すると、前記登録ユーザの通信端末Ａ２０からの静止画データＧ１，Ｇ２，…が受信され記憶される都度、当該登録ユーザの「登録画像・対応動画指定情報」にて指定されている種類の登録画像（この場合には種類“１”：犬のキャラクタの登録画像ＧＴ１）が登録画像・対応動画メモリ１２ｂ（図２参照）から読み出される（ステップＳ７）。
【００５４】
そして、今回受信された静止画データＧｎの中に、前記ユーザ指定の犬の登録画像ＧＴ１と一致する画像が含まれているか否か画像解析されて判定される（ステップＳ８）。
【００５５】
例えば図４（Ａ）に示すように、完成した犬のアップリケＤが付けられた布ケースＴの静止画データＧ３が今回受信されて記憶された際に、当該今回受信された静止画データＧ３の中に、前記ユーザ指定の犬の登録画像ＧＴ１と一致する画像が含まれていると判定されると（ステップＳ８（Ｙｅｓ））、この静止画データＧ３が記憶された前記登録ユーザ別育成／製作静止画メモリ１２ｄ内のフォルダにある一連の静止画データＧ１〜Ｇ３が、図４（Ｂ）に示すようにその撮影日付順に連結され、犬のアップリケＤの製作過程を記録した一連の動画データＧＤ１〜ＧＤ３として再構成される（ステップＳ９）。
【００５６】
この際、前記一連の静止画データＧ１〜Ｇ３は、その各画像内の被写体（布ケースＴ）の輪郭が位置合わせされ、一連の動画データＧＤ１〜ＧＤ３として再構成される。
【００５７】
すると、前記今回受信された犬のアップリケＤの完成時の静止画データＧ３（ＧＤ３）に対して、前記ユーザ指定の犬の登録画像ＧＴ１に対応付けられた当該犬が飛んでいる動きを表現した３つの対応動画データｄｓ１〜ｄｓ３が個々に合成され、図４（Ｂ）に示すように、３つの合成画像ＧＤ４〜ＧＤ６が生成される。そして、前記ステップＳ９にて再構成された一連の動画データＧＤ１〜ＧＤ３の後に、前記３つの合成画像ＧＤ４〜ＧＤ６がさらに連結されて一連の合成動画データＧＤ１〜ＧＤ６が生成され、合成動画データメモリ１２ｅに記憶される（ステップＳ１０）。
【００５８】
この合成動画データメモリ１２ｅに記憶された一連の合成動画データＧＤ１〜ＧＤ６は、今回受信された静止画データＧ３の送信元である登録ユーザの通信端末Ａ２０に対して送信され、その通信端末Ａ２０にて表示される（ステップＳ１１）。
【００５９】
また、この登録ユーザのユーザ情報（１２ｃ）において、知人などの送信先ユーザ名が対応付けられている場合には（ステップＳ１２（Ｙｅｓ））、当該送信先ユーザの通信端末Ａ２０やＢ３０に対しても、前記合成動画データメモリ１２ｅに記憶された一連の合成動画データＧＤ１〜ＧＤ６が送信され、その通信端末Ａ２０やＢ３０にて表示可能になる（ステップＳ１３）。
【００６０】
このように、布ケースＴに犬のアップリケＤを貼り付ける製作過程を撮影し、その各静止画データＧ１，Ｇ２，Ｇ３を、順次サーバ装置１０へ送信すると、当該各静止画データＧ１，Ｇ２，Ｇ３が一連の動画データＧＤ１，ＧＤ２，ＧＤ３として再構成されるだけでなく、完成時の静止画データＧ３（ＧＤ３）に対して前記犬が飛んでいる動きの対応動画データｄｓ１〜ｄｓ３が個々に合成され、この合成画像ＧＤ４，ＧＤ５，ＧＤ６が前記一連の動画データＧＤ１，ＧＤ２，ＧＤ３にさらに連結されてなる一連の合成動画データＧＤ１〜ＧＤ６が生成される。
【００６１】
よって、前記犬のアップリケＤの製作過程を順次記録して動画的に出力できるだけでなく、製作者の達成感や喜び感までも加えた合成動画データＧＤ１〜ＧＤ６として出力することが可能になる。
【００６２】
なお、本発明の動画合成出力装置をデジタルカメラ１０Ａとして構成した場合は、カメラ１０Ａ本体により撮影された一連の静止画データＧ１，Ｇ２，…がその撮影順に育成／製作静止画メモリ１２ｄに記憶され、当該カメラ１０Ａのユーザ自身が指定した「登録動画・対応動画指定情報」に従い、前記同様に一連の合成動画データＧＤ１〜ＧＤｎが生成される（ステップＳ５〜Ｓ１０）。そして、生成された一連の合成動画データＧＤ１〜ＧＤｎは、合成動画データ保存メモリ１２ｆに保存され、ユーザ操作に応じて表示部１７に表示される（ステップＳ１１）。
【００６３】
［実施例２］
図５は、前記サーバ装置１０の画像合成処理に伴いジグソーパズルＰの製作過程を撮影した一連の静止画データＧ１〜Ｇ３からパズルの登録画像ＧＴ２ａおよびその対応動画データｄｍ１〜ｄｍ３に基づき生成された一連の合成動画データＧＤ１〜ＧＤ６を示す図である。
【００６４】
この実施例２では、サーバ装置１０の登録ユーザ情報メモリ１２ｃに登録される、例えば通信端末Ａ２０のユーザが、マウスのキャラクタのジグソーパズルＰの製作過程を撮影して当該サーバ装置１０へ順次送信し、このサーバ装置１０により生成された合成動画データＧＤ１〜ＧＤ６を、ユーザ自身の通信端末Ａ２０により閲覧する場合について説明する。
【００６５】
前記登録ユーザ情報メモリ１２ｃに登録されたユーザの通信端末Ａ２０から本サーバ装置１０にアクセスされ、例えば図５（Ａ）に示すように、マウスのキャラクタのジグソーパズルＰの製作過程を撮影した静止画データＧ１，Ｇ２，…が順次受信されると（ステップＳ５）、その静止画データＧ１，Ｇ２，…は、登録ユーザ別育成／製作静止画メモリ１２ｄ内のユーザにより指定されたフォルダに順番に記憶される（ステップＳ６）。
【００６６】
すると、前記登録ユーザの通信端末Ａ２０からの静止画データＧ１，Ｇ２，…が受信され記憶される都度、当該登録ユーザの「登録画像・対応動画指定情報」にて指定されている種類の登録画像（この場合には種類“２”：マウスのキャラクタのジグソーパズルの登録画像ＧＴ２ａ，ＧＴ２ｂ）が登録画像・対応動画メモリ１２ｂ（図２参照）から読み出される（ステップＳ７）。
【００６７】
そして、図５（Ａ）に示すように、完成したジグソーパズルＰの静止画データＧ３が今回受信されて記憶された際に、当該今回受信された静止画データＧ３の中に、前記ユーザ指定のマウスのジグソーパズルの登録画像ＧＴ２ａ，ＧＴ２ｂのうちの１つＧＴ２ａと一致する画像が含まれていると判定されると（ステップＳ８（Ｙｅｓ））、この静止画データＧ３が記憶された前記登録ユーザ別育成／製作静止画メモリ１２ｄ内のフォルダにある一連の静止画データＧ１〜Ｇ３が、図５（Ｂ）に示すように、その撮影日付順に連結され、ジグソーパズルＰの製作過程を記録した一連の動画データＧＤ１〜ＧＤ３として再構成される（ステップＳ９）。
【００６８】
この際、前記一連の静止画データＧ１〜Ｇ３は、その各画像内の被写体（パズルＰ）の輪郭が位置合わせされ、一連の動画データＧＤ１〜ＧＤ３として再構成される。
【００６９】
すると、前記今回受信されたジグソーパズルＰの完成時の静止画データＧ３（ＧＤ３）に対して、前記ユーザ指定のマウスのジグソーパズルの登録画像ＧＴ２ａ，ＧＴ２ｂに対応付けられた当該マウスが手を振っている動きを表現した３つの対応動画データｄｍ１〜ｄｍ３が個々に合成され、図５（Ｂ）に示すように、３つの合成画像ＧＤ４〜ＧＤ６が生成される。そして、前記ステップＳ９にて再構成された一連の動画データＧＤ１〜ＧＤ３の後に、前記３つの合成画像ＧＤ４〜ＧＤ６がさらに連結されて一連の合成動画データＧＤ１〜ＧＤ６が生成され、合成動画データメモリ１２ｅに記憶される（ステップＳ１０）。
【００７０】
この合成動画データメモリ１２ｅに記憶された一連の合成動画データＧＤ１〜ＧＤ６は、合成動画データ保存メモリ１２ｆに対し、前記一連の静止画データＧ１〜Ｇ３の送信元ユーザ名に対応付けられて、当該送信元ユーザの通信端末Ａ２０により閲覧可能に保存される（ステップＳ１１）。
【００７１】
このように、マウスのキャラクタのジグソーパズルＰの製作過程を撮影し、その各静止画データＧ１，Ｇ２，Ｇ３を、順次サーバ装置１０へ送信すると、当該各静止画データＧ１，Ｇ２，Ｇ３が一連の動画データＧＤ１，ＧＤ２，ＧＤ３として再構成されるだけでなく、完成時の静止画データＧ３（ＧＤ３）に対して前記マウスが手を振っている動きの対応動画データｄｍ１〜ｄｍ３が個々に合成され、この合成画像ＧＤ４，ＧＤ５，ＧＤ６が前記一連の動画データＧＤ１，ＧＤ２，ＧＤ３にさらに連結されてなる一連の合成動画データＧＤ１〜ＧＤ６が生成される。
【００７２】
よって、前記ジグソーパズルＰの製作過程を順次記録して動画的に出力できるだけでなく、製作者の達成感や喜び感までも加えた合成動画データＧＤ１〜ＧＤ６として出力することが可能になる。
【００７３】
［実施例３］
図６は、前記サーバ装置１０の画像合成処理に伴い花Ｆの育成過程を撮影した一連の静止画データＧ１〜Ｇ３から花の登録画像ＧＴ３ａおよびその対応動画データｄｈ１〜ｄｈ３に基づき生成された一連の合成動画データＧＤ１〜ＧＤ６を示す図である。
【００７４】
この実施例３では、サーバ装置１０の登録ユーザ情報メモリ１２ｃに登録される、例えば通信端末Ａ２０のユーザが、プランタＨに植えた花Ｆの育成過程を撮影して当該サーバ装置１０へ順次送信し、このサーバ装置１０により生成された合成動画データＧＤ１〜ＧＤ６を、ユーザ自身の通信端末Ａ２０により閲覧する場合について説明する。
【００７５】
前記登録ユーザ情報メモリ１２ｃに登録されたユーザの通信端末Ａ２０から本サーバ装置１０にアクセスされ、例えば図６（Ａ）に示すように、プランタＨに植えた花Ｆの育成過程を撮影した静止画データＧ１，Ｇ２，…が順次受信されると（ステップＳ５）、その静止画データＧ１，Ｇ２，…は、登録ユーザ別育成／製作静止画メモリ１２ｄ内のユーザにより指定されたフォルダに順番に記憶される（ステップＳ６）。
【００７６】
すると、前記登録ユーザの通信端末Ａ２０からの静止画データＧ１，Ｇ２，…が受信され記憶される都度、当該登録ユーザの「登録画像・対応動画指定情報」にて指定されている種類の登録画像（この場合には種類“３”：花の登録画像ＧＴ３ａ〜ＧＴ３ｄ）が登録画像・対応動画メモリ１２ｂ（図２参照）から読み出される（ステップＳ７）。
【００７７】
そして、図６（Ａ）に示すように、完全開花した花Ｆの静止画データＧ３が今回受信されて記憶された際に、当該今回受信された静止画データＧ３の中に、前記ユーザ指定の花の登録画像ＧＴ３ａ〜ＧＴ３ｄのうちの１つＧＴ３ａと一致する画像が含まれていると判定されると（ステップＳ８（Ｙｅｓ））、この静止画データＧ３が記憶された前記登録ユーザ別育成／製作静止画メモリ１２ｄ内のフォルダにある一連の静止画データＧ１〜Ｇ３が、図６（Ｂ）に示すように、その撮影日付順に連結され、プランタＨに植えた花Ｆの育成過程を記録した一連の動画データＧＤ１〜ＧＤ３として再構成される（ステップＳ９）。
【００７８】
この際、前記一連の静止画データＧ１〜Ｇ３は、その各画像内の被写体（プランタＨ）の輪郭が位置合わせされ、一連の動画データＧＤ１〜ＧＤ３として再構成される。
【００７９】
すると、前記今回受信された花Ｆの完全開花時の静止画データＧ３（ＧＤ３）に対して、前記ユーザ指定の花の登録画像ＧＴ３ａ〜ＧＴ３ｄに対応付けられた蜂の妖精が飛んでいる動きを表現した３つの対応動画データｄｈ１〜ｄｈ３が個々に合成され、図６（Ｂ）に示すように、３つの合成画像ＧＤ４〜ＧＤ６が生成される。そして、前記ステップＳ９にて再構成された一連の動画データＧＤ１〜ＧＤ３の後に、前記３つの合成画像ＧＤ４〜ＧＤ６がさらに連結されて一連の合成動画データＧＤ１〜ＧＤ６が生成され、合成動画データメモリ１２ｅに記憶される（ステップＳ１０）。
【００８０】
この合成動画データメモリ１２ｅに記憶された一連の合成動画データＧＤ１〜ＧＤ６は、合成動画データ保存メモリ１２ｆに対し、前記一連の静止画データＧ１〜Ｇ３の送信元ユーザ名に対応付けられて、当該送信元ユーザの通信端末Ａ２０により閲覧可能に保存される（ステップＳ１１）。
【００８１】
このように、花Ｆの育成過程を撮影し、その各静止画データＧ１，Ｇ２，Ｇ３を、順次サーバ装置１０へ送信すると、当該各静止画データＧ１，Ｇ２，Ｇ３が一連の動画データＧＤ１，ＧＤ２，ＧＤ３として再構成されるだけでなく、完全開花時の静止画データＧ３（ＧＤ３）に対して前記蜂の妖精が飛んでいる動きの対応動画データｄｈ１〜ｄｈ３が個々に合成され、この合成画像ＧＤ４，ＧＤ５，ＧＤ６が前記一連の動画データＧＤ１，ＧＤ２，ＧＤ３にさらに連結されてなる一連の合成動画データＧＤ１〜ＧＤ６が生成される。
【００８２】
よって、前記花Ｆの育成過程を順次記録して動画的に出力できるだけでなく、育成者の達成感や喜び感までも加えた合成動画データＧＤ１〜ＧＤ６として出力することが可能になる。
【００８３】
なお、前記実施形態において説明した、サーバ装置１０の構成とその機能は、例えば次の図７に示すような携帯電話装置１０′に搭載することで、前記画像合成処理を同様にして実行可能である。
【００８４】
図７は、本発明の動画合成出力装置を実施した携帯電話装置１０′の画像合成処理に伴う動作の具体例を示す図である。
【００８５】
すなわち、図７（Ａ）に示すような携帯電話装置１０′において、例えば図７（Ｂ１）（Ｂ２）に示すように知人の通信端末Ａ（カメラ付き携帯電話装置）２０により犬のアップリケＤの製作過程を撮影した一連の静止画データＧ１〜Ｇ３がインターネットメールや赤外線通信などにより順次受信されると、前記実施形態と同様に、当該一連の静止画データＧ１〜Ｇ３が動画データＧＤ１〜ＧＤ３として再構成される。そして、この一連の動画データＧＤ１〜ＧＤ３の後に、犬が飛んでいる対応動画データｄｓ１〜ｄｓ３が合成された合成画像ＧＤ４〜ＧＤ６がさらに連結され、一連の合成動画データＧＤ１〜ＧＤ６が生成される。
【００８６】
そして、前記生成された一連の合成動画データＧＤ１〜ＧＤ６は、前記実施形態と同様に、当該携帯電話装置１０′の合成動画データ保存メモリ１２ｆに閲覧可能に保存され、ユーザ操作に応じて表示部１７′に順次表示される。
【００８７】
よって、この携帯電話装置１０′でも前記実施形態と同様に、知人による犬のアップリケＤの製作過程を順次記録して動画的に出力できるだけでなく、製作した知人の達成感や喜び感までも加えた合成動画データＧＤ１〜ＧＤ６として出力することが可能になる。
【００８８】
なお、前記各実施形態において記載した動画合成出力装置による各処理の手法、すなわち、図３のフローチャートに示す画像合成処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、撮影画像等の静止画像を取得可能な種々のコンピュータ装置は、この外部記録媒体１３に記憶されたプログラムをメモリ１２に読み込み、この読み込んだプログラムによって動作が制御されることにより、前記各実施形態において説明した製作過程や育成過程等に応じて経時変化する物や生物の一連の静止画に基づいた合成動画の生成機能を実現し、前述した手法による同様の処理を実行することができる。
【００８９】
また、前記各手法を実現するためのプログラムのデータは、プログラムコードの形態として通信ネットワーク（インターネット）Ｎ上を伝送させることができ、この通信ネットワーク（インターネット）Ｎに接続されたコンピュータ端末（プログラムサーバ）から前記のプログラムデータを取り込み、前述した製作過程や育成過程等に応じて経時変化する物や生物の一連の静止画に基づいた合成動画の生成機能を実現することもできる。
【００９０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００９１】
１０  …サーバ装置
１０Ａ…デジタルカメラ
１０′…携帯電話装置
１１  …ＣＰＵ
１２  …メモリ
１２ａ…画像合成処理プログラム
１２ｂ…登録画像・対応動画メモリ
１２ｃ…登録ユーザ情報メモリ
１２ｄ…登録ユーザ別育成／製作静止画メモリ
１２ｅ…合成動画データメモリ
１２ｆ…合成動画データ保存メモリ
１３  …外部記録媒体
１４  …記録媒体読取部
１５  …伝送制御部
１６  …入力部
１７  …表示部
１８  …画像撮影部
２０  …通信端末Ａ（デジタルカメラ／カメラ付き携帯電話）
３０  …通信端末Ｂ（ＰＣ）
Ｎ  …通信ネットワーク
Ｔ  …布ケース
Ｄ  …犬のアップリケ
Ｐ  …ジグソーパズル
Ｈ  …プランタ
Ｆ  …花
【図１】
2011077871.tif 000003
【図２】
2011077871.tif 000004
【図３】
2011077871.tif 000005
【図４】
2011077871.tif 000006
【図５】
2011077871.tif 000007
【図６】
2011077871.tif 000008
【図７】
2011077871.tif 000009